(57)【要約】【課題】  錠ケースに組み付け、扉の開扉や閉扉に合わせて何らかの機能を起動させるためのアクションボルトにおいて、扉を閉扉させる際の抵抗となり、閉扉しにくい原因となるものが多い。軽い閉扉力で作動するアクションボルトを実現することが課題である。【解決手段】アクションボルトをボルトケースに回転可能に組み付け、閉扉にあたってアクションボルトの回転とボルトケースの引込みの両方が可能で、錠受けを外した時の開口に、誤って扉を閉じて、アクションボルトが入っても扉を開けられるアクションボルト機構を実現した。同時にアクションボルトの背面にローラーを組み付け、閉扉時のアクションボルト背面と錠フロントや錠ケースとの間の抵抗を小さくして、閉扉のし易いアクションボルト機構を実現した。【選択図】  図１
2008057208.tif 000002
【特許請求の範囲】
【請求項１】
ボルト軸（１１）を持ち、ボルトケース（１２）に回転可能に組み付けたアクションボルト（７）と、アクションバー台座（１６）の付いたアクションバー（１４）とバネ（１３）から成るアクションボルトユニット（図２）を錠ケース（１）に組み付け、開扉時にアクションボルト（７）のみが錠ケースフロント（２）から突き出す構造で、アクションボルトが回転したときは、ボルトケースが引込まなくてもアクションボルトによってアクションバー台座が押されてアクションバーが突き出し、アクションボルトを回転させないで引込めたときはボルトケースが引込み、ボルトケースに組み付けたアクションボルトによってアクションバー台座が押され、アクションバーが突き出す仕組みのアクションボルト機構。
【請求項２】
閉扉方向側にテーパー面（４２）を持つアクションボルト（４１）の背面（４３）にローラー（４５）を持ち、ローラーは背面から少し突き出す（４６）構造で、閉扉時にアクションボルトが錠受けに当って背面方向に押されたときに、アクションボルトが錠ケースフロント（２）及び錠ケース（１）に触れず、ローラー（４５）が触れることでアクションボルトが引込む際の摩擦抵抗を小さくしたアクションボルト構造。
【発明の詳細な説明】
【技術分野】
【０００１】
扉の開閉に合わせて、開扉時や閉扉時に錠やスイッチの何らかの機能を起動させる為の技術である。
【背景技術】
【０００２】
錠にトリガーボルトと言われるものがある。これもアクションボルトの1種である。トリガーボルトを説明する。
扉の閉扉に合わせてラッチボルトを突き出すために使うもの。
扉の閉扉に合わせて突き出したラッチボルトを固定するために使うもの。
扉の閉扉に合わせてラッチボルトをさらに長く突き出すもの。
扉の閉扉に合わせてデッドボルトを自動的に突き出すもの。
トリガーボルトは以上のように扉の閉扉に合わせて錠の何らかのアクションを起動させるために使われる。または、扉の開扉に合わせて何らかのアクションを起動させるために使われる。
【０００３】
アクションボルトは錠の他に扉の開扉や閉扉に合わせてスイッチをONやOFFするものや、扉の開扉や閉扉に合わせて何らかのアクションを起動させる為に使われる。図９、図１０で示したものがそのアクションボルトの一般的な仕組みである。図９で示したのはアクションボルト（５１）の突き出し寸法（５５）を長く確保する事が可能な反面、閉扉時にアクションボルトが引き込む時の抵抗が大きく、１個の錠にラッチボルトと合わせて使った場合に扉が閉じ難い問題がある。
あと１つ大きい問題として、錠受けの取り付け位置を誤って、アクションボルトが錠受けの受け穴に入ってしまうと扉を開けられなくなる。
また、錠受けを枠から外して作業したときに、誤って扉を閉じるとアクションボルトが錠受けを取り付けるための開口（６０）に入って、扉を開けられなくなる。アクションボルトやトリガーボルトには取手を回して引込める機能が無いものが多いためである。取手を回して引込める機能があれば問題ない。図１１Cで示したのがその状態である。
【０００４】
図９で示したアクションボルトが引込むときの、力の掛かり方を示すのが図１１Aである。一般にテーパー面（５２）の角度の関係から引込める力（６２）よりアクションボルトを曲げる力（５９）の方が大きくかかる事が多く、アクションボルトの引込み抵抗が大きい。アクションボルトが引込まない状態で強く扉を閉じると図１１B状態となる。
このアクションボルトの形状や動きは、ラッチボルトに似ている。
ラッチボルトと違う点は、取手を回してアクションボルトを引込める必要が無いこと、及び扉を係止しないことである。
【０００５】
図１０で示したアクションボルトは開扉方向と閉扉方向の両側にテーパー面を設けたものである。
両側にテーパー面を設けた理由は図１１C状態になっても扉を開ければアクションボルトが引込み、扉が開けられ、扉を開けられなくなるのを防止する為である。
その反面、突き出し寸法（５５）が小さくなり、扉の戸先と戸先枠の間のチリ寸法が大きくなると、扉を閉じてもアクションボルトが引込まなくなる。
両開き扉では両扉間のチリ寸法が８ミリメートル程度であることも多く、突き出し寸法が小さいと作動の信頼性を確保できない。
【特許文献１】特開２００５−１６１６５
【発明の開示】
【発明が解決しようとする課題】
【０００６】
従来のアクションボルトの問題点は、０００３〜０００５で示した通りである。
これらの問題を解決するために、突き出し寸法が長く確保でき、扉を軽く閉じてもアクションボルトが引込み、アクションボルトが閉扉時の抵抗にならないようにする必要がある。
また、アクションボルトが錠受けの受け穴に入ったときや、錠受けを外したときの開口に入ってしまっても扉を開けられるようにする必要がある。
【課題を解決するための手段】
【０００７】
アクションボルトに求められる性質は、以下の通りであり。
アクションボルトには、扉を係止する機能は不要である。
アクションボルトは、取手を回して引込める必要が無い。
アクションボルトは、扉の開閉時にスムーズに引き込めば大きい力が掛かる要素がなく、大きい強度を必要としない。
アクションボルトは、扉が開扉や閉扉したことを確実に力で伝えれば良い。
以上を条件に考えたのが、本発明のアクションボルト機構である。
【０００８】
請求項１記載のアクションボルトの仕組みを、図１，２，３，４に基づいて説明する。
図１が、その機構を設けた錠ケースの斜視図である。
図２が、図１から外したアクションボルトユニットの斜視図である。
図３が、図２のアクションボルトユニットを分解して各部品を示す斜視図である。
図４Ａが、図１のアクションボルト位置水平断面で、開扉状態でアクションボルト（７）が突き出した状態を示す。
図４Ｂは、アクションボルト（７）のみを回転させて引込めた状態を示し、その状態でアクションバー（１４）が突き出したことを示す。
図４Ｃは、アクションボルト（７）を回転させずに押込んだ状態を示し、その状態でアクションバー（１４）が突き出したことを示す。
【０００９】
請求項１記載のアクションボルト機構は、アクションボルト（７）はボルトケース（１２）に回転可能に組み付けてあり、ボルトケース自体も錠ケース（１）に対してスライドして引込むことが可能である。そのため、ボルトケースが動かずにアクションボルトのみが回転しても、逆にアクションボルトが回転せずにボルトケースが引込んでも同様にアクションバー（１４）を突き出す。
図４Ｄが、図１の錠ケースを扉に取り付け、閉扉した状態を示す。
片開き扉を枠に吊り込んだ時の戸先のチリ寸法（２３）の標準は、３ミリメートルである。
図４Ｄは、アクションボルト（７）の回転とボルトケース（１２）のスライドの、両方の動きが同時に作動してアクションバー（１４）を突き出したことを示す。この機構では、このようにアクションボルトの回転とボルトケースのスライドの両方の運動が可能な点を特徴とする。
【００１０】
請求項１記載の機構が扉の軽い閉扉力で、そしてアクションボルトに曲げの力が作用せずに引込む仕組みを図４、図１１Ａ，Ｂで説明する。
扉が図１１Ａのように閉じたときに、従来のアクションボルトは図１１Ｂのようにアクションボルトに曲げる力が作用する。曲げる力（５９）に比べると引込める力（６２）の方が小さく、図１１で示した従来のアクションボルトは引込み効率が悪い。それに比べて図４で示した請求項１記載のアクションボルトでは、アクションボルトに掛かる曲げる力も引込める力も全てアクションバー（１４）を押す力となり、アクションバーを突き出す力となる。そのために、閉扉時の抵抗が小さい。
【００１１】
図４Ａの、アクションボルト（７）の突き出し寸法（３２）については、錠ケース（１）の厚さや錠ケースの箱板の厚さによるものが、１２〜１４ミリメートル程度の突き出し寸法を得ることが可能である。
【００１２】
図１１Ｃ状態の、アクションボルトが錠受けの受け穴や錠受けを外した時の開口に入ってしまったときの様子を、図４Ａ、４Ｃで説明する。
図４の回転するアクションボルトであっても、扉を開けようとした時にはＲ面（９）が引掛かって扉を開けることが難しいが、代わりにアクションボルトに引込める力が作用する。そのため、扉を開ければ図４Ｃのようにアクションボルトが回らなくてもボルトケース（１２）が引き込み、扉を開けることができる。
【００１３】
請求項１記載のアクションボルト機構は、以上のように軽い閉扉力で扉が閉扉でき、必要な突き出し寸法を確保でき、アクションバーの強い突き出し力が得られ、連結した機能を確実に起動させることが可能である。
併せて、アクションボルトが錠受けの受け穴や、錠受けを外した開口に入ってしまっても扉を開けることができ、課題の全てを解決できる機構である。
【００１４】
請求項２記載のアクションボルト機構を説明する。
図１１で示した従来のアクションボルトは、従来のラッチボルトと形も動きも同じである。
違う点は、アクションボルトは扉の係止が必要ないこと、取手を回して引込める必要が無いこと、及び連結した機能を起動させることの３点である。
そのため、閉扉にあたってスムーズに引込めば、何ら強い力が掛からない。
そのように考えて作ったものである。
【００１５】
図７に基づいて、請求項２記載のアクションボルト構造を説明する。構造はアクションボルト（４１）にローラー軸（４４）を設け、ローラー（４５）をアクションボルトの背面（４３）方向に少し突き出す（４６）ようにローラー軸に組み付けたものである。
仕組みは、図９Ａの状態で扉を閉じた時に、アクションボルト（５１）と錠ケースフロント（２）や錠ケース（１）が直接触れず、ローラーと錠ケースフロントや錠ケースが触れることで、アクションボルトが引込むにあたって抵抗を小さくし、引込み易くしたものである。
引込み易くしたことで、図９Bのようにアクションボルトに大きい曲げの力が掛かることを防止することもできる。 
【００１６】
請求項２記載のアクションボルトは、スライド時の抵抗を小さくした事で引込み易くしたと同時に突き出し易くなり、その分バネ（１３）の力を弱くすることが出来る。バネの力が弱ければその分閉扉に要する力が弱くて済む。
請求項２記載のアクションボルトは、図１１で示した従来のアクションボルトと同様の長い突き出し寸法（５５）が得られる。
しかし、アクションボルトが閉扉時に錠受けの受け穴や、錠受けを外した開口に入ったときに、扉を開けられなくなることは、従来のアクションボルトと同じである。
アクションボルトの引込み抵抗を小さくしたことで閉扉時のアクションボルトを曲げる力が小さくなり、その分アクションボルトの強度が小さくて済み、アクションボルトを軽く作ることが可能となり、アクションボルトのバネを弱くすることも可能となる。よって、閉扉時の抵抗を少なくすることができる。
【発明の効果】
【００１７】
錠ケースに組み付け、扉の開扉や閉扉に合わせて何らかの機能を起動させる機構であるトリガーボルトや、ドアスイッチ等に使用するアクションボルト機構では、トリガーボルトやアクションボルトによって扉が閉じ難いという問題があった。
ラッチボルトと合わせてトリガーボルトやアクションボルトを使った場合は、両方が加算されてより扉が閉じ難くなるのが普通である。軽い閉扉力で扉を閉じることの出来るトリガーボルトやアクションボルトの機構を考えて欲しいとの依頼があった。その為に本発明で軽い閉扉力で扉を閉じることのできるトリガーボルトやアクションボルトを実現したものである。
【発明を実施するための最良の形態】
【００１８】
請求項１記載のアクションボルトを使って、極めて小さい閉扉力で扉を閉じることのできる仕組みを図５に基づいて説明する。
図５は、アクションボルトを、扉の開扉状態でラッチボルトを引込めた位置に係止し、閉扉に合わせてラッチボルトの係止を解き、突き出す仕組みに使ったものである。閉扉までラッチボルトが引込んでいるため、閉扉時にラッチボルトを引込める力を必要としない。必要なのは閉扉にあたってアクションボルトを回す力のみである。
アクションボルトでラッチボルトを係止する仕組みは新しい仕組みではなく、従来もまれに見られたものである。図５の意味するところは、従来のその仕組みにも増して請求項１記載のアクションボルト機構を使うことで、より軽い力で扉を閉じることができるようになるということである。
【００１９】
図５の仕組みを具体的に説明する。
開扉にあたって取手を回してラッチカム（１９）を動かし、ラッチボルト（４）を引込めるとラッチボルトのストッパー（２９）が係止バー（２７）に引掛かって、ラッチボルトは引込んだ位置で係止される。
その後は、扉を閉じて、アクションボルトが作動するまでラッチボルトは突き出さない。よってラッチボルトを引込めるために要する力は必要ない。
閉扉時には、アクションボルト（７）が錠受け（２１）に当って、回転して引込むとアクションバー（１４）が突き出し、アクションバーが解除バー（２６）を押し、係止バー（２７）がラッチボルトのストッパー（２９）から外れ、ラッチボルト（４）が突き出す。
ラッチボルトが突き出すとラッチボルトは錠受けに当り、閉扉に合わせてラッチボルトが錠受けの表面を滑り、受け穴に入って扉を係止する。
【００２０】
このときに閉扉に要する力は、アクションボルトを引込める力と、ラッチボルトを錠受け上を滑らせる力である。ラッチボルトが錠受け上をすべるときの抵抗は小さいものであり、そのため、実際に要する力は、アクションボルトを引込める力のみとなる。
この仕組みを起動させるために請求項１記載のアクションボルト機構を使うことで、閉扉時にアクションボルト（７）が回転し、アクションボルトがスライドしないため、曲げの力とスライド抵抗が無く、従来のアクションボルトと比べて軽い閉扉力で仕組みを起動させることができる。
【００２１】
図８で示したのが、請求項２記載のアクションボルト機構を使ってラッチボルトを係止し、閉扉に合わせて係止を解き、ラッチボルトを突き出す仕組みである。
請求項２記載のアクションボルトでも、従来のアクションボルトと比べて小さい閉扉力で扉を閉じることができる。
【００２２】
図６は、請求項１記載のアクションボルトを、閉扉に合わせてスイッチを起動するために使ったことを示す実施例である。この場合も、従来のアクションボルトを使うより扉の小さい閉扉力でアクションボルトを動かし、スイッチを起動させることが可能になる。
【図面の簡単な説明】
【００２３】
【図１】請求項１記載のアクションボルト機構を持つ錠ケースの斜視図である。
【図２】アクションボルトユニットの斜視図である。
【図３】アクションボルトユニットを分解した各部品の斜視図である。
【図４】Ａ    図１の錠を扉に取り付けた状態の、アクションボルト位置水平断面を示す。Ｂ    Ａ図から、アクションボルトが回転してアクションバーを突き出した事を示す。    Ｃ  アクションボルトが回転せず、ボルトケースが引込んでアクションバーを突き出した事を示す。    Ｄ    閉扉した事でアクションバーが錠受けに当って回転すると共に、ボルトケースが引込んでアクションバーを突き出した事を示す。
【図５】Ａ    図１の縦断面で図４Ａ状態を示し、ラッチボルトを引込めて係止した状態を示す。Ｂ    閉扉してアクションボルトが押され、ラッチボルトの係止が解けて突き出した図４Ｄ状態を示す。
【図６】閉扉してアクションボルトがスイッチを起動させた事を示す。
【図７】Ａ    請求項２記載のアクションボルト機構の水平断面構造を示す。  Ｂ    アクションボルトを引込め、アクションバーが突き出した事を示す。
【図８】Ａ  図７Ａの縦断面構造を示し、ラッチボルトを引込めて係止した状態を示す。  Ｂ    閉扉した事でアクションボルトが引込み、ラッチボルトの係止が解けて突き出した事を示す。
【図９】Ａ    従来の正面側にのみテーパー面を持つアクションボルトの水平断面構造を示す。  Ｂ    Ａ図の、閉扉した事でアクションボルトが引込んだ状態を示す。
【図１０】アクションボルトの正面側と背面側の両側にテーパー面を持つ従来のアクションボルトを示す。
【図１１】Ａ    図９のアクションボルトの、閉扉時に掛かる力を示す。    Ｂ    アクションボルトが引込まないときの状態を示す。    Ｃ  錠受けを外して扉を閉じ、アクションボルトが錠受けの開口に入った事を示す。
【符号の説明】
【００２４】
１        錠ケース
２        錠ケースフロント
３        デッドボルト
４        ラッチボルト
５        背面
６        ネジ座ぐり穴
７        アクションボルト
８        正面
９        Ｒ面
１０      抜け止め
１１      ボルト軸
１２      ボルトケース
１３      バネ
１４      アクションバー
１５      ボルト軸穴
１６      アクションバー台座
１７      アクションバー軸
１８      シリンダー組み付け穴
１９      ラッチカム
２０      取手軸受け穴
２１      錠受け
２２      戸先枠
２３      チリ寸法
２４      扉
２５      軸
２６      解除バー
２７      係止バー
２８      係止バネ
２９      ストッパー
３０      錠受け
３１      スイッチ
３２      突き出し寸法
４１      アクションボルト
４２      テーパー面
４３      背面
４４      ローラー軸
４５      ローラー
４６      突き出し
５１      アクションボルト
５２      テーパー面
５３      背面
５４      接する部分
５５      突き出し寸法
５６      アクションボルト
５７      テーパー角度
５８      当る部分
５９      曲げる力
６０      開口
６１      錠受け取り付け位置
６２      引込める力
【図１】
2008057208.tif 000003
【図２】
2008057208.tif 000004
【図３】
2008057208.tif 000005
【図４】
2008057208.tif 000006
【図５】
2008057208.tif 000007
【図６】
2008057208.tif 000008
【図７】
2008057208.tif 000009
【図８】
2008057208.tif 000010
【図９】
2008057208.tif 000011
【図１０】
2008057208.tif 000012
【図１１】
2008057208.tif 000013